(57)【要約】【課題】湯水などで注出ポンプが濡れた場合でも、注出ポンプを作動させたときに笛による音が確実に発生される笛付き注出ポンプを提供すること。【解決手段】容器本体の上部口部に取り付け、頭部を押下すると容器本体から内容液を注出させるとともに空気流を発生させて笛体を鳴らす笛付き注出ポンプにおいて、その笛体を、振動片であるリードを持たず、エッジに空気流を当てて音を出す笛体とした。  これにより、笛付き注出ポンプは、空気流をエッジに当てて音を発生させ、リードの振動を音源としない笛体を備えているため、水に濡れた場合でもポンプ作用で送り込まれた空気流により確実に笛体から音が発生する。【選択図】図１
2006283676.tif 000002
【特許請求の範囲】
【請求項１】
容器本体の口筒部に組み付け、頭部を押下すると液体ポンプが作動し、容器本体内に収納されている内容液を注出口から注出させる注出ポンプにおいて、
前記頭部に連結し、該頭部を押下すると空気を送出させる空気ポンプと、
該空気ポンプから送出された空気流を当てるエッジを備え、該エッジに当てた前記空気ポンプからの空気流を分流することで音を発生させる笛体と、を備えた笛付き注出ポンプ。
【請求項２】
笛体を頭部に設け、該笛体で発生させた音を外部に伝達させる発音口を頭部の下面に開口させた請求項１に記載の笛付き注出ポンプ。
【請求項３】
頭部に取付孔を形成し、該取付孔内部に空気ポンプに通ずる流出口を設け、前記取付孔に笛部材を取り付けて笛体を構成した請求項１または２に記載の笛付き注出ポンプ。
【請求項４】
頭部から笛部材を取り外し、他の笛部材と交換可能とした請求項３に記載の笛付き注出ポンプ。
【請求項５】
エッジにより空気流に渦流が形成される請求項１〜４のいずれか１項に記載の笛付き注出ポンプ。
【請求項６】
エッジの後方に空気流の渦流が形成される請求項１〜４のいずれか１項に記載の笛付き注出ポンプ。
【請求項７】
エッジにより形成される渦流が、カルマン渦である請求項５または６に記載の笛付き注出ポンプ。
【発明の詳細な説明】
【技術分野】
【０００１】
本発明は、ポンプ操作により内容液を注出させるとそれとともに笛が鳴るようにした笛付き注出ポンプに関し、特に水濡れに対応した笛付き注出ポンプに関する。
【背景技術】
【０００２】
従来、シャンプーなどの容器に取り付けられる注出ポンプであって、内部に笛を備え、注出ポンプの頭部を押し下げて容器からシャンプーを注出させると、注出ポンプに組み付けられている笛に空気が送り出され、笛から音が出る笛付きの注出ポンプが知られている。
【０００３】
【特許文献１】特開２００１−９３３０号公報
【発明の開示】
【発明が解決しようとする課題】
【０００４】
しかしながらシャンプーなどを収納したポンプ付きの注出容器は、風呂場など水気の多い場所で使用されることが多く、リードと呼ばれる振動片に空気を流通させ、かかるリードを振動させることで音を発生させる笛の場合、笛が水や湯で濡れると、リードが振動しなくなり注出ポンプを作動させても笛の音が出なくなってしまうことがあった。
【０００５】
本発明は、上記課題を解決し、湯水などで注出ポンプが濡れた場合でも、注出ポンプを作動させたときに笛による音が確実に発生される笛付き注出ポンプを提供することを目的とする。
【課題を解決するための手段】
【０００６】
本発明は、上記課題を解決するため、次のように笛付き注出ポンプを構成した。
【０００７】
容器本体の上部口部に取り付け、頭部を押下すると容器本体から内容液を注出させるとともに空気流を発生させて笛体を鳴らす笛付き注出ポンプにおいて、その笛体を、振動片であるリードを持たず、エッジに空気流を当てて音を出す笛体とした。
【０００８】
笛体には、頭部を押下すると作動して空気を送り出す空気ポンプを用いて空気流を送出する。例えば、空気ポンプのピストンを頭部と連結し、頭部を押下するとピストンがシリンダ内で押し下げられる構成とし、空気ポンプと笛体とを連結させた空気管で笛体に空気流を送り出す。
【０００９】
笛体は、空気流を当てるエッジを備え、エッジに空気流を当てると、空気流に例えばカルマン渦などの渦流を形成させて、音を生じさせるものである。尚、エッジの形状は問わない。また笛体は、頭部に設けることが好ましいが、他の箇所に設けてもよい。更に笛体で発生した音を外部に伝達させる発音口を頭部の下面に開口させても、また笛体に共鳴室を連設させてもよい。
【００１０】
また頭部に取付孔を形成し、エッジを有する笛部材を取付孔に取り付けて笛体を構成してもよい。この場合笛部材を異なる構造の笛部材と交換可能としてもよい。取付孔としては、笛部材が取り付け可能であれば切り欠きのように形成されていてもよい。また、取付孔の内部に笛部材全体を組み付けるのでなく、笛部材の一部、あるいは全体が頭部の外側面より露出していてもよい。
【００１１】
また笛部材の構造が同一でも、笛部材を取付孔へ取り付ける取付位置や、取付方向などを変更し、それにより笛体の構造を変更させてもよい。
【発明の効果】
【００１２】
本発明にかかる笛付き注出ポンプは、空気流をエッジに当てて音を発生させ、リードの振動を音源としない笛体を備えているため、水に濡れた場合でもポンプ作用で送り込まれた空気流により確実に笛体から音が発生する。
【００１３】
したがってシャンプーなどを収納した容器に笛付き注出ポンプを取り付け、浴室での使用で水がかかった場合でも、シャンプーを注出させる度に毎回笛体が発生する音を聞くことができる。また笛体の内部に水が浸入しても、笛体に送られた空気流が笛体から水を排除し、直ちに正常な音が発生するようになる。
【００１４】
また、笛体で発生した音を外部に伝達させる発音口を頭部の下面に開口させたことにより、頭部に水がかかった場合でも笛体の内部に水が浸入することを防止できる。共鳴室を設けることにより、エッジで発生した渦流の振動が共鳴し、笛体からの音が大きくなり、よりはっきり音を聞くことができる。
【００１５】
更に異なる構造の笛部材を取付孔に取り付けることなどにより、笛体の構造が変更できるので、笛体から発生される音を好みに応じて適宜変更できる。
【発明を実施するための最良の形態】
【００１６】
本発明にかかる笛付き注出ポンプの一実施形態について説明する。
【００１７】
図１に笛付き注出ポンプ１を示す。笛付き注出ポンプ１は、図４に示すように容器本体５０の口部５２に組み付けられ、かかる状態で頭部２を押下すると容器本体５０内に収納されているシャンプーなどの内容液を頭部２から延びている注出口４より注出させる。
【００１８】
容器本体５０は、合成樹脂などからなる容器で、口部５２の外周に雄ねじ部が形成してある。
【００１９】
笛付き注出ポンプ１は図１に示すように、頭部２と、頭部２に設けられた笛体３と、頭部２から下方に延びる管体６と、管体６を摺動自在に保持する装着筒体８と、装着筒体８の内側に設けられた空気ポンプ１４と、空気ポンプ１４の中央に設けられた圧送部１８と、圧送部１８の下方に延びる吸引管１０などから構成されている。
【００２０】
装着筒体８は外周部に外周筒体１２を有し、外周筒体１２の内面には、口部５２の雄ねじ部に組み付けられる雌ねじ部が形成されている。外周筒体１２の内側には、円筒体状のシリンダ１７が設けてある。シリンダ１７内には、シリンダ１７の内周面に摺動自在に接するピストン１６が設けてあり、これにより空気ポンプ１４が形成されている。
【００２１】
ピストン１６は軟質材料からなり、中心部分の保持筒３２と保持筒３２の外周に同心状に形成されたピストン片３３から構成されている。ピストン片３３と把持筒３２との間には軸方向に空気が通過する孔が複数形成されている。保持筒３２は円筒状で、管体６に連結されている作動管２１の外周面に軸方向に若干移動可能に組み付けられている。ピストン片３３は外周端が円筒状に形成してあり、その外周端がシリンダ１７の内面に気密、かつ摺動自在に接している。
【００２２】
またピストン１６の保持筒３２には、空気弁２０が取り付けられている。空気弁２０は、保持筒３２の外周に嵌合する弁基部３５と弁基部３５から皿状に延びる弁膜３６からなり、弁膜３６が空気ポンプ１４内への空気の流入を許容するように作動する。
【００２３】
空気ポンプ１４の内部は、管体６の内側に設けられた空気管１３を介して笛体３に連通している。より詳しくは、頭部２を押下すると作動管２１が降下し、作動管２１に設けられた押え部３７とピストン１６との間が開き、保持筒３２と作動管２１との間を介して空気ポンプ１４の内部と空気管１３とが連通する。
【００２４】
そして更に頭部２が押下され管体６を介してピストン１６が押し下げられると、容積が収縮された空気ポンプ１４から空気が笛体３に送り出される。一方頭部２が上方に戻ると、ばね２３で押し上げられた押え部３７でピストン１６が押し上げられ、ピストン１６が上方に戻る。すると空気ポンプ１４が負圧になり、空気弁２０が開き、装着筒体８と管体６の隙間を通り空気が空気室１４内に流入する。
【００２５】
空気ポンプ１４の中心部分には、容器本体５０から内容液を圧送させる圧送部１８が設けられている。
【００２６】
圧送部１８は、作動管２１と、圧送部１８の上下に設けられた２つの弁機構２２、２４と、ばね２３などから構成されており、頭部２を押下すると作動管２１がばね２３に抗して降下し、弁機構２４が閉鎖し、球を備えた弁機構２２が開放されて、その間に貯留されている内容液が注出口４に送り出される。
【００２７】
一方頭部２の押下から手を離すと、ばね２３の反発力で作動管２１が押し上げられ、弁機構２２が閉鎖し、圧送部１８内に生じた負圧により、弁機構２４が開放されて、内容液が容器本体５０から圧送部１８内に吸引される。
【００２８】
笛体３は、図１及び図４に示すように頭部２の後方（注出口４と反対側）に設けられている。図２に頭部２の後方部分を示す。
【００２９】
頭部２の後方には、後方に開口した取付孔５が形成してあり、取付孔５内に笛部材７が嵌め込まれている。笛部材７は、端部に壁体４２を備えた円筒体状で、壁体４２の中央に空気孔９が形成してある。壁体４２は、笛部材７を取付孔５に組み付けた状態で、取付孔５の奥に空間１５を形成するように配置されている。また取付孔５の奥には空気管１３に連通した流出口１１が設けられている。
【００３０】
笛体３はこのように、空気管１３に連通して設けられた流出口１１と、笛部材７に設けられた空気孔９と、笛部材７と孔５で形成される空間１５などから構成され、空気ポンプ１４からの空気流が流出口１１から流出されることで音が発生する。
【００３１】
音が発生する理由は、流出口１１から流出された空気流が空間１５内で広がり空間１５内に旋回流が形成されるとともに、空気孔９の縁部４４をエッジとして空気孔９から流出した空気流が、エッジの後方で渦流を形成することから音が発生されると考えられる。
【００３２】
このように笛付き注出ポンプ１を構成したので、容器本体５０に組み付けて、頭部２を押下すると、内容液が注出口４から注出されるとともに笛体３から音が発生する。笛体３は、リードなどの振動片を有していないことから水に濡れた場合でも音を発生させる機能が低下することがなく、内容液の注出に伴って常に音を発生させることができる。
【００３３】
図３に笛体３の他の例を示す。この笛体３の場合は、笛部材７にカバー１９が設けてあり、笛部材７を取付孔５に組み付けると、頭部２の後方にカバー１９が設けられるとともに、発音口２５が頭部２の下面に開口される。カバー１９は、頭部２の外周面と連続していることが好ましい。
【００３４】
これによりかかる笛体３では、カバー１９が水を遮り、シャワーがかかった場合などでも笛体３に水が直接横方向から浸入することを防ぐことができる。また発音口２５が頭部２の下面に開口しているので、笛体３で発生した音は発音口２５を通して外部に伝達される。
【００３５】
更に笛部材７を取付孔５から取り外し可能とし、構造が異なる他の笛部材７、例えば壁体４２の位置を変更して空間１５の容量や形状が変更された構造、あるいは空気孔９の径や取り付け位置を変更した構造とし、適宜異なる構造の笛部材を取付孔５内に組付け可能としてもよい。このようにして構造の異なる笛部材７に交換すると、笛体３が発生させる音色を好みのものに変更することができる。
【００３６】
尚笛体３は上記構造のものに限らず、振動片を持たない笛であれば他の構成でもよい。
【図面の簡単な説明】
【００３７】
【図１】本発明にかかる笛付き注出ポンプの一実施形態を示す断面図である。
【図２】笛体を示す図である。
【図３】笛体の他の例を示す図である。
【図４】笛付き注出ポンプを容器本体に組みつけた状態を示す図である。
【符号の説明】
【００３８】
１    笛付き注出ポンプ
２    頭部
３    笛体
４    注出口
５    取付孔
６    管体
７    笛部材
８    装着筒体
９    空気孔
１０  吸引管
１１  流出口
１２  外周筒体
１３  空気管
１４  空気ポンプ
１５  空間
１６  ピストン
１７  シリンダ
１８  圧送部
１９  カバー
２０  空気弁
２１  作動管
２２、２４  弁機構
２３  ばね
２５  発音口
３２  保持筒
３３  ピストン片
３５  弁基部
３６  弁膜
３７  押え部
４２  壁体
４４  縁部
５０  容器本体
５２  口部
【図１】
2006283676.tif 000003
【図２】
2006283676.tif 000004
【図３】
2006283676.tif 000005
【図４】
2006283676.tif 000006